(57)【特許請求の範囲】
【請求項１】
上水道管から流し台に設けられたディスポーザへ上水を供給するために接続される給水管の中途部に、該給水管に負圧が生じた場合の該負圧を弁体の作動による大気開放によって破壊するように設けられ、前記ディスポーザから前記上水道管への汚水の逆流の発生を防止するディスポーザ用のバキュームブレーカであって、
貫通した取付穴が設けられた被固定体に固定するように設けられ、前記上水道管からの配管が接続される上水側の流路、前記ディスポーザへの配管が接続されるディスポーザ側の流路、及び中央部に前記上水側の流路に連続すると共に前記弁体の上下動を案内する案内溝を備える固定本体と、
該固定本体の上側を覆って該固定本体との間で前記弁体を内包して該弁体の作動空間を形成するように設けられ、上面に大気開放のために前記弁体よって開閉される開口が設けられていると共に、内側面が前記弁体の外縁に摺接して該弁体の往復動を案内するように設けられている弁蓋とを備え、
前記弁体が、前記案内溝によって案内されるように中央部から下方へ突起して筒状に形成されて、該筒状の内部が供給される上水の動圧を受けるように上側部が塞がれた筒状部と、該筒状部の周壁に開口されて設けられて該弁体が上方へ移動した際に上水側の流路とディスポーザ側の流路とを連通させる通水口と、外縁の側の部分に設けられて前記弁蓋の開口が開いた際に大気開放の空気を前記給水管側へ通気できる通気部と、上面に設けられて前記弁蓋の開口を塞ぐ際に水密するシール部とを備えることを特徴とするディスポーザ用のバキュームブレーカ。
【請求項２】
前記固定本体の案内溝が円柱状に形成され、前記弁蓋の内側面が円周内面に形成され、前記弁体の外形が実質的に円盤状に形成されていると共に前記筒状部が円筒状に形成されていることを特徴とする請求項１記載のディスポーザ用のバキュームブレーカ。
【請求項３】
前記通水口の開口形状が、上側から下側へ向って徐々に拡大する形態に設けられていることを特徴とする請求項１又は２記載のディスポーザ用のバキュームブレーカ。
【請求項４】
前記固定本体が、前記被固定体に設けられた取付穴を覆うように該被固定体の表面側に当接して固定されるように設けられ、
該固定本体の中心と偏心した位置に配されると共に前記取付穴を貫通できる大きさに設けられて一部が前記被固定体の裏面側に当接して固定され、前記給水管が挿通される挿通孔が設けられているフックと、
該フックと前記固定本体とが、螺子の締付力によって前記被固定体を挟み込むことで該被固定体に固定されるように、該フックと前記固定本体とに連係されている雄螺子部材と、
前記固定本体の裏面から前記雄螺子部材と平行に延設されていると共に、前記フックに設けられた案内孔に挿通されて該フックの前記雄螺子部材による締付方向への移動を案内する案内ピンとを具備することを特徴とする請求項１〜３のいずれかに記載のディスポーザ用のバキュームブレーカ。
【請求項５】
前記雄螺子部材が前記フックに螺合すると共に前記固定本体に係合し、該固定本体における前記弁体の作動する下側であって棚状にえぐられたように形成された切り欠き部に前記雄螺子部材の頭部が収納された状態に位置していることを特徴とする請求項４記載のディスポーザ用のバキュームブレーカ。
【請求項６】
前記固定本体の表面側に前記取付穴より大径に形成されて固定される表側固定部が設けられ、前記固定本体の裏面側に前記取付穴の内側に嵌まる嵌合段部が設けられていることを特徴とする請求項４又は５記載のディスポーザ用のバキュームブレーカ。
【請求項７】
請求項４〜６のいずれかに記載のディスポーザ用のバキュームブレーカを被固定体に固定するバキュームブレーカの取付固定方法であって、
前記フックを、前記被固定体の取付穴と中心同士が同心となるようにして該取付穴に貫通させ、
前記固定本体と前記取付穴との中心同士が同心となるように、前記ディスポーザ用のバキュームブレーカをスライドさせて前記固定本体を前記被固定体に配すると共に前記フックの一部が前記被固定体と重なるように配し、
前記雄螺子部材による締付によって前記固定本体と前記フックとで前記被固定体を挟み込むことで固定することを特徴とするバキュームブレーカの取付固定方法。
【発明の詳細な説明】
【技術分野】
【０００１】
本発明は、上水道管から流し台に設けられたディスポーザへ上水を供給するために接続される給水管の中途部に、該給水管に負圧が生じた場合の該負圧を弁体の作動による大気開放によって破壊するように設けられ、前記ディスポーザから前記上水道管への汚水の逆流の発生を防止するディスポーザ用のバキュームブレーカに関する。
【背景技術】
【０００２】
従来、給水管による給水中に断水が発生した際に、給水管内が負圧になってしまい、逆サイホン作用によって排水系統内の汚水が給水系統内の奥深くへ逆流するのを効果的に阻止できるバキュームブレーカ（特許文献１参照）が提案されている。
【先行技術文献】
【特許文献】
【０００３】
【特許文献１】特開２００６−３４２９４４号公報（第１頁）
【発明の概要】
【発明が解決しようとする課題】
【０００４】
ディスポーザ用のバキュームブレーカに関して解決しようとする課題は、負圧の破壊にかかる動作や、作動時の水漏れの防止にかかる動作について、その応答性及び確実性をより向上できると共に、よりコンパクトに構成できるものが提案されていないことにある。
そこで、本発明の目的は、動作の応答性及び確実性をより向上できると共に、よりコンパクトに構成できるディスポーザ用のバキュームブレーカを提供することにある。
【課題を解決するための手段】
【０００５】
本発明は上記目的を達成するために次の構成を備える。
本発明にかかるディスポーザ用のバキュームブレーカの一形態によれば、上水道管から流し台に設けられたディスポーザへ上水を供給するために接続される給水管の中途部に、該給水管に負圧が生じた場合の該負圧を弁体の作動による大気開放によって破壊するように設けられ、前記ディスポーザから前記上水道管への汚水の逆流の発生を防止するディスポーザ用のバキュームブレーカであって、貫通した取付穴が設けられた被固定体に固定するように設けられ、前記上水道管からの配管が接続される上水側の流路、前記ディスポーザへの配管が接続されるディスポーザ側の流路、及び中央部に前記上水側の流路に連続すると共に前記弁体の上下動を案内する案内溝を備える固定本体と、該固定本体の上側を覆って該固定本体との間で前記弁体を内包して該弁体の作動空間を形成するように設けられ、上面に大気開放のために前記弁体よって開閉される開口が設けられていると共に、内側面が前記弁体の外縁に摺接して該弁体の往復動を案内するように設けられている弁蓋とを備え、前記弁体が、前記案内溝によって案内されるように中央部から下方へ突起して筒状に形成されて、該筒状の内部が供給される上水の動圧を受けるように上側部が塞がれた筒状部と、該筒状部の周壁に開口されて設けられて該弁体が上方へ移動した際に上水側の流路とディスポーザ側の流路とを連通させる通水口と、外縁の側の部分に設けられて前記弁蓋の開口が開いた際に大気開放の空気を前記給水管側へ通気できる通気部と、上面に設けられて前記弁蓋の開口を塞ぐ際に水密するシール部とを備える。
【０００６】
また、本発明にかかるディスポーザ用のバキュームブレーカの一形態によれば、前記固定本体の案内溝が円柱状に形成され、前記弁蓋の内側面が円周内面に形成され、前記弁体の外形が実質的に円盤状に形成されていると共に前記筒状部が円筒状に形成されていることを特徴とすることができる。
【０００７】
また、本発明にかかるディスポーザ用のバキュームブレーカの一形態によれば、前記通水口の開口形状が、上側から下側へ向って徐々に拡大する形態に設けられていることを特徴とすることができる。
【０００８】
また、本発明にかかるディスポーザ用のバキュームブレーカの一形態によれば、前記固定本体が、前記被固定体に設けられた取付穴を覆うように該被固定体の表面側に当接して固定されるように設けられ、該固定本体の中心と偏心した位置に配されると共に前記取付穴を貫通できる大きさに設けられて一部が前記被固定体の裏面側に当接して固定され、前記給水管が挿通される挿通孔が設けられているフックと、該フックと前記固定本体とが、螺子の締付力によって前記被固定体を挟み込むことで該被固定体に固定されるように、該フックと前記固定本体とに連係されている雄螺子部材と、前記固定本体の裏面から前記雄螺子部材と平行に延設されていると共に、前記フックに設けられた案内孔に挿通されて該フックの前記雄螺子部材による締付方向への移動を案内する案内ピンとを具備することを特徴とすることができる。
【０００９】
また、本発明にかかるディスポーザ用のバキュームブレーカの一形態によれば、前記雄螺子部材が前記フックに螺合すると共に前記固定本体に係合し、該固定本体における前記弁体の作動する下側であって棚状にえぐられたように形成された切り欠き部に前記雄螺子部材の頭部が収納された状態に位置していることを特徴とすることができる。
また、本発明にかかるディスポーザ用のバキュームブレーカの一形態によれば、前記固定本体の表面側に前記取付穴より大径に形成されて固定される表側固定部が設けられ、前記固定本体の裏面側に前記取付穴の内側に嵌まる嵌合段部が設けられている。
ことを特徴とすることができる。
【００１０】
また、本発明にかかるバキュームブレーカの取付固定方法の一形態によれば、前記のディスポーザ用のバキュームブレーカを被固定体に固定するバキュームブレーカの取付固定方法であって、前記フックを、前記被固定体の取付穴と中心同士が同心となるようにして該取付穴に貫通させ、前記固定本体と前記取付穴との中心同士が同心となるように、前記ディスポーザ用のバキュームブレーカをスライドさせて前記固定本体を前記被固定体に配すると共に前記フックの一部が前記被固定体と重なるように配し、前記雄螺子部材による締付によって前記固定本体と前記フックとで前記被固定体を挟み込むことで固定することを特徴とすることができる。
【発明の効果】
【００１１】
本発明にかかるディスポーザ用のバキュームブレーカによれば、負圧の破壊にかかる動作や、作動時の水漏れの防止にかかる動作について、その応答性や確実性を、より向上できると共に、よりコンパクトに構成できるという特別有利な効果を奏する。
【図面の簡単な説明】
【００１２】
【図１】本発明にかかるディスポーザ用のバキュームブレーカの形態例であって負圧を破壊している状態を示す断面図である。
【図２】図１の形態例であって通水状態を示す断面図である。
【図３】図１の形態例の全体形状を示す斜視図である。
【図４】図１の形態例の全体形状を示す正面図である。
【図５】図１の形態例のカバー内部を示す破断斜視図である。
【図６】図１の形態例に用いられている弁体の斜視図である。
【図７】図１の形態例に用いられている固定本体の斜視図である。
【図８】本発明にかかる取付固定器具の形態例を示す斜視図である。
【図９】図８の形態例を他方向（裏面側）から見た斜視図である。
【図１０】図８の形態例の使用状態（第１工程）を示す側断面図である。
【図１１】図８の形態例の使用状態（第２工程）を示す側断面図である。
【図１２】図８の形態例の使用状態（第３工程）を示す側断面図である。
【図１３】図８の形態例の使用状態（第４工程）を示す側断面図である。
【図１４】図８の形態例の使用状態（第５工程）を示す側断面図である。
【図１５】図８の形態例の使用状態（第６工程）を示す側断面図である。
【図１６】図８の形態例の使用状態（第７工程）を示す側断面図である。
【図１７】図８の形態例の固定状態を示す裏面図である。
【図１８】図１の形態例の配管の挿入状態を示す裏面図である。
【発明を実施するための形態】
【００１３】
以下、本発明にかかるディスポーザ用のバキュームブレーカの形態例を添付図面（図１〜１８）と共に詳細に説明する。なお、図８〜１７に示す形態例は、ディスポーザ用のバキュームブレーカに用いられる取付固定器具の原形を示すもので、配管などのディスポーザ用のバキュームブレーカにかかる構成を省略して記載してある。
【００１４】
このディスポーザ用のバキュームブレーカは、上水道管から流し台に設けられたディスポーザへ上水を供給するために接続される給水管の中途部に、その給水管に負圧が生じた場合のその負圧を弁体７０の作動による大気開放によって破壊するように設けられ、前記ディスポーザから前記上水道管への汚水の逆流の発生を防止するように設置される。図３に示すように、９０は内部構造を保護するカバーである。この本形態例のカバー９０には、負圧を破壊する際などに空気が流通できるように、空気流入口６３がスリット状に設けられている。
【００１５】
２０は固定本体であり、貫通した取付穴１１が設けられた被固定体１０に固定するように設けられ、前記上水道管からの配管６１が接続される上水側の流路２４、前記ディスポーザへの配管６２が接続されるディスポーザ側の流路２５、及び中央部に上水側の流路２４に連続すると共に弁体７０の上下動を案内する案内溝２６を備える。この案内溝２６は上方へ開口されており弁体７０の動作（上下動）を案内するように設けられている。また、案内溝２６が、上水側の流路２４の上方に、その上水側の流路２４に連通して位置している。さらに、案内溝２６は中央部に設けられているが、ディスポーザ側の流路２５を含めてコンパクトに設計するため、上水側の流路２４は固定本体２０の中心軸から偏芯した位置であってその中心軸と平行に形成されている。
【００１６】
また、２７はリング状の溝であり、固定本体２０の上面に案内溝２６を囲むように形成されており、このリング状の溝２７の底の部分にディスポーザ側の流路２５が連通されている。これにより、弁体７０の回転方向の角度向きに影響されることなく、上水の流れや負圧破壊のための空気の流れをスムースにすることができる。
【００１７】
８０は弁蓋であり、固定本体２０の上側を覆ってその固定本体２０との間で弁体７０を内包してその弁体７０の作動空間７１を形成するように設けられ、上面に大気開放のために弁体７０よって開閉される開口８１が設けられていると共に、内側面８２が弁体７０の外縁７２に摺接してその弁体７０の往復動（上下動）を案内するように設けられている。
この弁蓋８０は、カップを逆さにしたような形態であり、その下部拡径部８３が固定本体２０の上部外周２８に外嵌して‘Ｏ’−リング８４によって水密シールされ、作動空間７１を形成するように設けられている。
【００１８】
そして、弁体７０が、案内溝２６によって案内されるように中央部から下方へ突起して筒状に形成されて、その筒状の内部７３ａが供給される上水の動圧を受けるように上側部（上面７０ａの中央部分）が塞がれた筒状部７３と、筒状部７３の周壁７３ｂに開口されて設けられてその弁体７０が上方へ移動した際に上水側の流路２４とディスポーザ側の流路２５とを連通させる通水口７４と、外縁７２の側の部分に設けられて弁蓋８０の開口８１が開いた際に大気開放の空気を給水管（配管６１、６２）側へ通気できる通気部７５と、上面７０ａに設けられて弁蓋８０の開口８１を塞ぐ際に水密するシール部７６とを備える。本実施例の通気部７５は、弁体７０の外周縁の４箇所において小径に切り欠いた状態に形成されている。
【００１９】
これによれば、弁体７０が、外縁７２と筒状部７３の二つの要素について案内される形態になっており、負圧の破壊にかかる動作や、作動時の水漏れの防止にかかる動作について、その応答性や確実性を、より向上できると共に、よりコンパクトに構成できる。
【００２０】
本形態例では、固定本体２０の案内溝２６が円柱状に形成され、弁蓋８０の内側面８２が円周内面に形成され、弁体７０の外形が実質的に円盤状に形成されていると共に筒状部７３が円筒状に形成されている。すなわち、円形が基本となった形状であり、弁体７０の動作について、バランスよく適切に力を受けることができ、動作の応答性や確実性を、より向上できる。
【００２１】
また、本形態例では、通水口７４の開口形状が、上側から下側へ向って徐々に拡大する形態に設けられている。図６に示す通水口７４の形状は、三角形に形成されており、底辺が下側に配されていることで上側から下側へ向って徐々に拡大する形態になっている。
この形態によれば、案内溝２６に嵌まって案内された筒状部７３の重なりの度合いの状態によって、上水側の流路２４からの通水が始まる際には、その水の動圧を適切に受けて弁体７０が上方へスムースに移動するように、通水口７４による連通面積が小さく、弁体７０が開口８１を塞いだ後は、水の流れがスムースになって抵抗を小さくできるように、通水口７４による連通面積を大きくすることができる。これにより、弁体７０の応答性や確実性を、さらに向上できる。
【００２２】
また、本形態例のシール部７６は、弁体７０の上面７０ａ側における縮径された段部の外周面に設けられたリング溝に‘Ｏ’−リング７７が嵌まることによって構成されている。この‘Ｏ’−リング７７が、弁蓋８０の逆さの内底であってその内周に設けられたテーパ面８５に当接することで、水密シールがなされた状態で、弁蓋８０の開口８１を弁体７０が閉塞する。
【００２３】
３０はフックであり、固定本体２０の中心と偏心した位置に配されると共に取付穴１１を貫通できる大きさに設けられて一部が被固定体１０（図１０参照）の裏面側に当接して固定され、給水管（配管６１、６２）が挿通される挿通孔３３、３３が設けられている。
これによれば、給水管である上水道管からの配管６１及びディスポーザへの配管６２が、適切に配置され、ディスポーザを適切且つコンパクトに構成できる。
【００２４】
４０は雄螺子部材であり、フック３０と固定本体２０とが、螺子の締付力によって被固定体１０を挟み込むことで、その被固定体１０に固定されるように、フック３０と固定本体２０とに連係されている。そして、本形態例の雄螺子部材４０は、フック３０に螺合すると共に固定本体２０に係合し、その固定本体２０における弁体７０の作動する下側であって棚状にえぐられたように形成された切り欠き部２９に、雄螺子部材４０の頭部４０ａが収納された状態に位置している。
これによれば、取付固定器具としての機能を合理的に配することができ、ディスポーザを適切且つコンパクトに構成できる。
【００２５】
次に、図８〜１８に基づいて、本願のディスポーザ用のバキュームブレーカなどに用いられる取付固定器具の形態例について詳細に説明する。
２０は固定本体であり、被固定体１０に設けられた取付穴１１を覆うように、その被固定体１０の表面１０ａ側に当接して固定される部品になっている。本形態例では、固定本体２０外形が円形に設けられ、取付穴１１よりも大径なフランジ状の表側固定部２１（後述参照）が設けられている。
なお、被固定体１０とは、所要の厚みがあって平面的な広がりのある板状などの部材であり、流し台の天板、壁、床、天井などの構造物を構成する部材の形態であって、貫通した所要の大きさの取付穴１１を設けることが可能なものである。
【００２６】
３０はフックであり、固定本体２０の中心（軸芯Ｚａ）と偏心した位置（軸芯Ｚｂ）に配されると共に取付穴１１を貫通できる大きさに設けられ、一部３０ａが被固定体１０の裏面１０ｂ側に当接して固定される部品になっている。すなわち、フック３０の一部３０ａが締付力によって圧接された状態となることで固定されるように設定されている。
本形態例では、円形の取付穴１１の中心（軸芯Ｚｃ）に円形のフック３０の中心（軸芯Ｚｂ）を合わせた状態で、そのフック３０を傾けることなく取付穴１１について挿通できる嵌め合い関係になっている。なお、図１０〜１６に示すように、フック３０の外径寸法は、被固定体１０の裏面１０ｂ側に当接（圧接）されて固定される面積を大きくとるため、円形の取付穴１１の内径を適切に通過でき、且つその取付穴１１の内径寸法よりも小径の範囲ではあるが、できるだけ大径となるように設定するとよい。
【００２７】
４０は雄螺子部材であり、フック３０と固定本体２０とが、螺子の締付力によって被固定体１０を挟み込むことで、その被固定体１０に固定されるように、フック３０と固定本体２０とに連係されている。つまり、この雄螺子部材４０によれば、その螺子の締付力によって、被固定体１０に、固定本体２０及びフック３０を連結するように締結できる。
【００２８】
５０は案内ピンであり、固定本体２０の裏面２０ｂから雄螺子部材４０と平行に延設されていると共に、フック３０に設けられた案内孔３２に挿通されて、そのフック３０の雄螺子部材４０による締付方向への移動を案内する部材になっている。
これによれば、フック３０を取付穴１１に挿入して位置決めする簡単な作業工程と、雄螺子部材４０を回すだけの簡単な作業工程とで、フック３０が、案内ピン５０によって共回りをしない状態で好適に案内されて、前述のように被固定体１０へ締付けられる。
【００２９】
また、本形態例では、雄螺子部材４０が、フック３０に螺合すると共に固定本体２０に係合している。さらに、本形態例の雄螺子部材４０は、フック３０に設けられた雌螺子部３１に螺合し、固定本体２０に設けられた貫通孔２３に挿通されて係合されている。
これによれば、雄螺子部材４０の先端が、壁などの被固定体１０の裏面１０ｂ側（壁などの内側）へ突出する状態となることで締付けがなされる。従って、雄螺子部材４０が被固定体１０の表面１０ａ側へ突出する場合に比較して、被固定体１０の表面１０ａ側に装着される他の装着部材に対する取り合い関係が変化しないため、その装着部材を適切に装着できる。
【００３０】
また、本形態例の雄螺子部材４０は、両端部にボルトの頭が設けられた形態になっている。さらに具体的には、固定本体２０の表面２０ａ側に突起した雄螺子部材４０の一方の端部には、六角袋ナット４１が螺合されており、この六角袋ナット４１は、ボルトの頭として作用するように設けられている。また、フック３０の裏面側に突起した雄螺子部材４０の他方の端部には、ボルトの頭として作用するなべ小ねじの頭４２になっている。このように、雄螺子部材４０の両端部が実質的にボルトの頭になっている形態となっているため、固定本体２０及びフック３０は、雄螺子部材４０に連係して相互に離脱しない形態になっている。
【００３１】
さらに、本形態例では、雄螺子部材４０及び案内ピン５０が各一本ずつ設けられているが、本発明はこれに限定されるものではなく、雄螺子部材４０や案内ピン５０が複数本配された形態であってもよい。これによれば、フック３０の移動や締付け作業を、より確実に且つバランスよく安定的に行い得る。
【００３２】
また、本形態例では、固定本体２０の表面２０ａ側に取付穴１１より大径に形成されて固定される表側固定部２１が設けられ、固定本体２０の裏面２０ｂ側に取付穴１１の内側に嵌まる嵌合段部２２が設けられている。
これによれば、固定本体２０を取付穴１１に対して適切且つ容易に位置決めができる。また、段差をつけるだけの形態であり、容易に製作できる。なお、取付穴１１に対して位置決めを適切に行うための構造としては、本形態例に限定されず、例えば三個以上の突起が取付穴１１の内側に嵌まるように設けられることでも実現できる。
【００３３】
図１に示す形態例では、固定本体２０が配管口や配線口を固定するためのベース部として設けられ、フック３０には配管や配線が挿通される挿通孔３３が設けられている。
これによれば、配管や配線を機能的且つ合理的にコンパクトに配することができる。さらに、フック３０の全体としての剛性を適切に保ちつつ、雌螺子部３１と、案内孔３２の位置関係を適切に設定することができる。
【００３４】
また、図１に示す形態例は、バキュームブレーカ６０を装着するためのもので、固定本体２０が給水用の配管口を固定するためのベース部であり、フック３０には給水用の配管の挿入される挿通孔３３が設けられている。この給水用の配管口としては、図１に示すようなバキュームブレーカ６０の空気流入口６３や、水栓の給水口がある。
なお、バキュームブレーカ６０は、配管の一方６１が給水管に接続され、配管の他方６２がディスポーザに接続され、給水管内が負圧になった場合に空気を導入し、負圧を破壊することで排水管内の汚水が給水管内に逆流しない機能を有する。
【００３５】
また、雄螺子部材４０は、フック３０の中心から被固定体１０の裏面１０ｂ側に当接されて固定される部分（一部３０ａ）の側へ偏心した位置に設けられた雌螺子部３１に螺合されている。被固定体１０の裏面１０ｂ側に当接されて固定される部分（一部３０ａ）と、雌螺子部３１とは近接しており、締付力が作用しやすい位置関係に設けられている。また、挿通孔３３を挟んで、雄螺子部材４０とは反対側に案内ピン５０が挿通される案内孔３２が配されている。
【００３６】
このように雌螺子部３１、挿通孔３３及び案内孔３２が設けられていることで、雌螺子部３１と案内孔３２の間隔をフック３０内においてより大きくとることができる。これによれば、フック３０を締付け方向へ移動させて固定させる際に、モーメントの力が好適に作用して、フック３０が傾くことを好適に防止して案内できる。従って、雄螺子部材４０によってフック３０を被固定体１０へ適切に締付けることができる。
【００３７】
また、本形態例のフック３０は、厚肉の円形板を原形として、剛性の高い金具になっている。なお、このフック３０には、挿通孔３３が設けられているが、厚肉の金具であり、剛性の高い部品になっている。また、本発明の案内ピン５０も、剛性が高い部品になっている。これによれば、フック３０を締付け方向へ適切に移動させて固定させることができる。
【００３８】
以上に説明したディスポーザ用のバキュームブレーカを用い、そのディスポーザ用のバキュームブレーカを被固定体１０に固定する取付固定方法を以下に説明する。
先ず、フック３０を、図１０に示す状態から、傾けることなく被固定体１０の取付穴１１と中心同士（Ｚｂ、Ｚｃ）が、図１１に示すように同心となるようにして、その取付穴１１に図１２から図１３に示すように貫通させる。
【００３９】
次に、図１４に示すように、固定本体２０と取付穴１１との中心同士（Ｚａ、Ｚｃ）が同心となるように、ディスポーザ用のバキュームブレーカをスライドさせて、固定本体２０を被固定体１０に配すると共にフック３０の一部３０ａが被固定体１０と重なるように配する。この際に、図１５に示すように、固定本体２０の嵌合段部２２を取付穴１１内に嵌めることで位置決めがなされる。
【００４０】
そして、雄螺子部材４０による締付けによって、固定本体２０とフック３０とで被固定体１０を挟み込むことで固定する。
固定本体２０の表面２０ａ側の六角袋ナット４１を締め方向に回すか、フック３０の裏面側のなべ小ねじの頭４２を緩み方向に回すことによってフック３０が締付け方向へ移動する。これによって、被固定体１０が固定本体２０とフック３０とによって挟圧されて固定される。
これによれば、被固定体１０の表面１０ａ側からの作業のみで、ディスポーザ用のバキュームブレーカの取付作業を容易に行うことができる。
【００４１】
次に、図３、１７、１８に基づいて、バキュームブレーカ６０を例にして、以上に説明したディスポーザ用のバキュームブレーカの固定本体２０とフック３０とで被固定体１０を挟み込むことで固定する具体的な使用形態について以下に説明する。
図１７に示すように、本形態例の固定本体２０とフック３０は円形に設けられ、嵌合段部２２の外径とフック３０の外径は同径に形成されている。そして、フック３０の円が、固定本体２０に対して偏心した状態に配されており、その偏心によって嵌合段部２２の円からはみ出した部分である張り出し部が、被固定体１０と重なってその裏面に当接されるフック３０の一部３０ａになっている。
【００４２】
このフック３０の一部３０ａは、一方の周縁側の部分であり、その大きさ（被固定体１０の裏面に当接する面積の大きさ）は偏心の度合いが大きくなるほど大きくなる。
そして、図１７に示すように本形態例では、雄螺子部材４０の中心に最も近いフック３０の周縁のポイントに接する接線Ｘａと平行で、雄螺子部材４０の中心を通る中心線Ｘｂを基準にして、雄螺子部材４０を中心にした１８０度以上の範囲に、被固定体１０の裏面に当接するフック３０の一部３０ａが及んでいる。これによれば、雄螺子部材４０を中心にして真反対の両側で且つ対称の形態で被固定体１０の裏面に当接するように、フック３０の一部３０ａが形成されたことになる。このように、雄螺子部材４０の回りの広い範囲でフック３０の一部３０ａが被固定体１０の裏面にバランスよく当接されるため、より安定的で且つより強固に固定することができる。
【００４３】
また、図１８に示すように、フック３０には給水用の配管６１、６２の挿入される挿通孔３３が、バキュームブレーカ６０用であるために、二個設けられている。この二個の挿通孔３３は、フック３０が偏心されて配されているため、そのフック３０内に適切に貫通されて配されている。すなわち、このフック３０については、大きな二個の挿通孔３３を設けるにもかかわらず、周縁に切り欠き部が生ずることなく、円形の厚肉の原形を留めて剛性を維持できる形態とすることができる。
【００４４】
これによれば、図１８に示すように、配管６２が固定本体２０の嵌合段部２２における周縁の際に配されても、フック３０が偏心されて配されているため、その配管６２が内嵌状態に挿通される挿通孔３３をフック３０内に適切に設けることができる。
従って、フック３０の剛性が維持されることでフック３０が変形することを防止でき、案内ピン５０によって適切に案内され、フック３０を締付け方向へ適切に移動させて強固に固定させることができる。
【００４５】
以上、本発明につき好適な形態例を挙げて種々説明してきたが、本発明は以上の形態例に限定されるものではなく、発明の精神を逸脱しない範囲内で多くの改変を施し得るのは勿論のことである。
【符号の説明】
【００４６】
１０  被固定体
１０ａ  表面
１０ｂ  裏面
１１  取付穴
２０  固定本体
２０ａ  表面
２０ｂ  裏面
２１  表側固定部
２２  嵌合段部
２３  貫通孔
２４  上水側の流路
２５  ディスポーザ側の流路
２６  案内溝
２７  リング状の溝
２８  上部外周
２９  切り欠き部
３０  フック
３０ａ  一部
３１  雌螺子部
３２  案内孔
３３  挿通孔
４０  雄螺子部材
４０ａ  頭部
４１  六角袋ナット
４２  なべ小ねじの頭
５０  案内ピン
６０  バキュームブレーカ
６１  配管
６２  配管
６３  空気流入口
７０  弁体
７０ａ  上面
７１  作動空間
７２  外縁
７３  筒状部
７３ａ  内部
７３ｂ  周壁
７４  通水口
７５  通気部
７６  シール部
７７  ‘Ｏ’−リング
８０  弁蓋
８１  開口
８２  内側面
８３  下部拡径部
８４  ‘Ｏ’−リング
８５  テーパ面
９０  カバー
【図１】
0005889097.tif 000002
【図２】
0005889097.tif 000003
【図３】
0005889097.tif 000004
【図４】
0005889097.tif 000005
【図５】
0005889097.tif 000006
【図６】
0005889097.tif 000007
【図７】
0005889097.tif 000008
【図８】
0005889097.tif 000009
【図９】
0005889097.tif 000010
【図１０】
0005889097.tif 000011
【図１１】
0005889097.tif 000012
【図１２】
0005889097.tif 000013
【図１３】
0005889097.tif 000014
【図１４】
0005889097.tif 000015
【図１５】
0005889097.tif 000016
【図１６】
0005889097.tif 000017
【図１７】
0005889097.tif 000018
【図１８】
0005889097.tif 000019